(57)【要約】【課題】端子部を容易に保護することができる電池モジュールを提供する。【解決手段】一つの実施の形態に係る電池モジュールは、筐体と、複数のセルと、端子部と、ボルトと、カバーと、を備える。前記セルは、前記筐体に収容される。前記端子部は、前記複数のセルに電気的に接続されるとともに前記筐体に設けられる。前記ボルトは、前記端子部に取り付けられ、頭部を有する。前記カバーは、前記筐体に着脱可能に取り付けられることで前記端子部を覆うとともに、前記ボルトの前記頭部を保持する。【選択図】図１
2015125799.tif 000002
【特許請求の範囲】
【請求項１】
筐体と、
前記筐体に収容された複数のセルと、
前記複数のセルに電気的に接続されるとともに前記筐体に設けられた端子部と、
前記端子部に取り付けられ、頭部を有するボルトと、
前記筐体に着脱可能に取り付けられることで前記端子部を覆うとともに、前記ボルトの前記頭部を保持する、カバーと、
を具備する電池モジュール。
【請求項２】
前記カバーは、前記端子部に面する第１の壁と、前記第１の壁から突出するとともに前記ボルトの前記頭部と嵌め合わされることで前記頭部を保持する突出部と、前記突出部の先端から前記第１の壁に向かって延びる第１の溝と、を有する、請求項１の電池モジュール。
【請求項３】
前記カバーは、前記筐体に対して第１の位置と第２の位置との間で移動可能なように前記筐体に取り付けられ、
前記突出部は、前記カバーが前記第１の位置にあるときに前記ボルトの前記頭部と嵌め合わされ、前記カバーが前記第２の位置にあるときに前記ボルトの前記頭部から外れる、
請求項２の電池モジュール。
【請求項４】
前記カバーは、前記第１の壁、前記突出部、及び前記第１の溝を有する第１の移動部と、前記第１の移動部が前記第１の位置と前記第２の位置との間で回動可能なように、前記第１の移動部を前記筐体に保持するヒンジ部と、をさらに有し、
前記第１の溝は、第１のスリットと、前記第１のスリットよりも前記ヒンジ部に近いとともに前記第１のスリットよりも幅が広い第２のスリットと、を含む、
請求項３の電池モジュール。
【請求項５】
前記カバーは、前記第１の壁、前記突出部、及び前記第１の溝を有する第１の移動部と、前記第１の移動部が前記第１の位置と前記第２の位置との間で回動可能なように、前記第１の移動部を前記筐体に保持するヒンジ部と、をさらに有し、
前記突出部は、前記ボルトの前記頭部と嵌りあったときに前記頭部の中央よりも前記ヒンジ部に近い第１の部分と、前記頭部の中央よりも前記ヒンジ部から遠い第２の部分と、を有し、
前記第１の溝は、複数のスリットを含み、前記第１の部分に設けられた前記スリットの数は、前記第２の部分に設けられた前記スリットの数よりも多い、
請求項３の電池モジュール。
【請求項６】
前記カバーは、前記第１の壁から前記筐体に向かって突出する第２の壁と、前記第２の壁の先端から前記第１の壁に向かって延びる第２の溝と、を有する、請求項３の電池モジュール。
【請求項７】
前記カバーは、前記筐体に弾性的に引っ掛かることで前記第１の位置に保持される、請求項４乃至請求項６のうち一つの電池モジュール。
【請求項８】
前記筐体に設けられるコネクタをさらに具備し、
前記カバーは、
前記筐体に固定されるとともに前記ヒンジ部によって前記第１の移動部に結合され、前記コネクタを露出させる露出部を有する固定部と、
前記固定部に対して、前記露出部を覆う第３の位置と、前記露出部を露出させる第４の位置と、の間で移動可能に前記固定部に結合された第２の移動部と、
前記第２の移動部に設けられ、前記第２の移動部が前記第３の位置にあるときに前記露出部を通って前記コネクタに嵌り込み、前記第２の移動部が前記第４の位置にあるときに前記コネクタから外れる、凸部と、
をさらに有する、請求項７の電池モジュール。
【請求項９】
前記突出部は、前記ボルトの前記頭部が嵌り込むことで前記頭部を保持する凹部を形成する、請求項８の電池モジュール。
【発明の詳細な説明】
【技術分野】
【０００１】
本発明の実施形態は、電池モジュールに関する。
【背景技術】
【０００２】
自動車のような種々の機械に、複数の電池セルを有する電池モジュールが搭載される。電池モジュールは、例えば、リチウムイオン二次電池のような複数の電池のセルが並んで収容される筐体と、当該筐体に設けられた正極及び負極の出力端子とを有する。
【０００３】
出力端子は、例えばハーネスによって、電池モジュールを利用する機械に電気的に接続される。ハーネスと、電池モジュールの出力端子との接続部分は、絶縁性のカバーによって保護される。
【先行技術文献】
【特許文献】
【０００４】
【特許文献１】特開２０１３−１９１４９３号公報
【発明の概要】
【発明が解決しようとする課題】
【０００５】
出力端子は、ハーネスに接続されるまで、カバーに覆われず露出されることがある。すなわち、出力端子は、電池モジュールの組立時及び輸送時のような、種々の場合に露出されることがある。
【０００６】
本発明の解決すべき課題の一つは、端子部を容易に保護することができる電池モジュールを提供することである。
【課題を解決するための手段】
【０００７】
一つの実施の形態に係る電池モジュールは、筐体と、複数のセルと、端子部と、ボルトと、カバーと、を備える。前記セルは、前記筐体に収容される。前記端子部は、前記複数のセルに電気的に接続されるとともに前記筐体に設けられる。前記ボルトは、前記端子部に取り付けられ、頭部を有する。前記カバーは、前記筐体に着脱可能に取り付けられることで前記端子部を覆うとともに、前記ボルトの前記頭部を保持する。
【図面の簡単な説明】
【０００８】
【図１】図１は、第１の実施の形態に係る電池モジュールを示す斜視図である。
【図２】図２は、第１の実施形態の電池モジュールを分解して示す斜視図である。
【図３】図３は、第１の実施形態の上ケースの一部を示す斜視図である。
【図４】図４は、第１の実施形態の電池モジュールの一部を示す斜視図である。
【図５】図５は、第１の実施形態の端子カバーを示す斜視図である。
【図６】図６は、第１の実施形態の端子カバーの一部を示す斜視図である。
【図７】図７は、第１の実施形態の電池モジュールの固定部付近を示す斜視図である。
【図８】図８は、第２の実施の形態に係る端子カバーの一部を示す斜視図である。
【図９】図９は、第３の実施の形態に係る第１の移動部の一部を示す斜視図である。
【図１０】図１０は、第４の実施の形態に係る電池モジュールの一部を示す斜視図である。
【図１１】図１１は、第４の実施形態の電池モジュールの一部を示す斜視図である。
【図１２】図１２は、第５の実施の形態に係る端子カバーの一部を示す斜視図である。
【発明を実施するための形態】
【０００９】
以下に、第１の実施の形態について、図１乃至図７を参照して説明する。なお、本明細書においては基本的に、ユーザ側を前方、ユーザから遠い側を後方、ユーザから見て左側を左方向、ユーザから見て右側を右方向、ユーザから見て上方を上方向、ユーザから見て下方を下方向と定義する。また、実施形態に係る構成要素や、当該要素の説明について、複数の表現を併記することがある。当該構成要素及び説明について、記載されていない他の表現がされることは妨げられない。さらに、複数の表現が記載されない構成要素及び説明について、他の表現がされることは妨げられない。
【００１０】
図１は、第１の実施の形態に係る電池モジュール１０を示す斜視図である。図２は、電池モジュール１０を分解して示す斜視図である。電池モジュール１０は、例えば、バッテリ、組電池、給電装置、又は充放電装置のようにも称され得る。図１に示すように、電池モジュール１０は、略直方体に形成される。なお、電池モジュール１０の形状はこれに限らない。
【００１１】
図面に示されるように、本明細書において、Ｘ軸、Ｙ軸及びＺ軸が定義される。Ｘ軸とＹ軸とＺ軸とは、互いに直交する。Ｘ軸は、電池モジュール１０の幅に沿う。Ｙ軸は、電池モジュール１０の長さに沿う。Ｚ軸は、電池モジュール１０の高さ（厚さ）に沿う。
【００１２】
電池モジュール１０は、筐体１１と、端子カバー１２と、を有する。筐体１１は、例えば、ケース、収容部材、又は壁のようにも称され得る。端子カバー１２は、カバーの一例であり、例えば、被覆部、保護部、部材、又は部分のようにも称され得る。
【００１３】
筐体１１は、例えばポリプロピレンによって形成され、絶縁性を有する。なお、筐体１１はこれに限らず、例えば、他の合成樹脂、又は絶縁材料がコーティングされた金属のような他の材料によって形成されても良い。
【００１４】
図２に示すように、筐体１１は、下ケース１５と、上ケース１６と、トップカバー１７とを有する。さらに、電池モジュール１０は、複数の電池セル（以下、セルと称する）２１と、複数のスペーサ２２と、複数のバスバー２３と、下カバー２４と、電子基板２５と、中継基板２６と、上カバー２７と、複数のネジ２８と、をさらに有する。セル２１は、例えば、電池、単電池、又は部品のようにも称され得る。
【００１５】
下ケース１５は、上部が開放された略直方体の箱型に形成される。下ケース１５は、略矩形（四角形）の底壁と、当該底壁の縁から立ち上がる四つの側壁３２と、第１の収容部３３とを有する。第１の収容部３３は、前記底壁及び四つの側壁３２によって形成された凹部である。
【００１６】
セル２１は、例えばリチウムイオン二次電池である。なお、セル２１はこれに限らず、例えば他の種類の電池であっても良い。セル２１は、例えば、缶３５と、蓋体３６と、正極端子３７と、負極端子３８と、ガス排出弁３９と、を有する。
【００１７】
缶３５は、上部が開放された略直方体の箱型に形成される。なお、缶３５は他の形状に形成されても良い。缶３５は、例えば、互いに重ねられるとともに巻回された電極及びセパレータと、電解液とを収容する。なお、電極及びセパレータは、積層されても良い。
【００１８】
蓋体３６は、缶３５の開放された前記上部を液密に塞ぐ。正極端子３７、負極端子３８、及びガス排出弁３９は、蓋体３６に設けられる。正極端子３７及び負極端子３８は、缶３５に収容された前記電極にそれぞれ電気的に接続される。
【００１９】
ガス排出弁３９は、正極端子３７と負極端子３８との間に位置する。セル２１の内部の圧力が所定の値より上がると、ガス排出弁３９が開放される。ガス排出弁３９は、セル２１の内部のガスを放出することで、セル２１の内部の圧力を低下させる。
【００２０】
複数のセル２１は、下ケース１５の第１の収容部３３に収容される。複数のセル２１は、第１の収容部３３において、例えば三列に並べられる。全てのセル２１は、Ｚ軸に沿う方向において、蓋体３６が同じ方向（上方向）に向くように配置される。セル２１の正極端子３７は、隣り合う他のセル２１の負極端子３８と並ぶ。
【００２１】
複数のスペーサ２２は、隣り合うセル２１の間にそれぞれ配置される。言い換えると、スペーサ２２は、隣り合う二つのセル２１を離間させる。スペーサ２２は、例えば、絶縁性の材料によって形成されたシートである。
【００２２】
上ケース１６は、内壁４１と、四つの周壁４２と、凸壁４３と、複数の孔４４と、を有する。内壁４１は、矩形（四角形）の板状に形成され、下ケース１５の前記底壁に向く。周壁４２は、内壁４１の縁から立ち上がる。
【００２３】
上ケース１６は、例えば、周壁４２に設けられた爪が下ケース１５の側壁３２に引っ掛かることで、下ケース１５に着脱可能に取り付けられる。上ケース１６が下ケース１５に取り付けられると、内壁４１は、第１の収容部３３に配置された複数のセル２１を覆う。
【００２４】
図３は、上ケース１６の一部を示す斜視図である。図３に示すように、凸壁４３は、一つの周壁４２から突き出た部分である。凸壁４３は、当該凸壁４３が突出した一つの周壁４２と略平行な壁であって、筐体１１の外面の一部を形成する。
【００２５】
凸壁４３は、二つの第１の開口部４７と、二つの取付溝４８と、二つの第２の開口部４９とを有する。第１の開口部４７は、Ｘ軸に沿う方向に並んで配置される。二つの取付溝４８は、Ｘ軸に沿う方向に並んで配置されるとともに、二つの第１の開口部４７の間に位置する。第２の開口部４９は、Ｘ軸に沿う方向に並んで配置されるとともに、二つの取付溝４８の間に位置する。
【００２６】
第１の開口部４７、取付溝４８、及び第２の開口部４９は、凸壁４３の上端４３ａから、Ｚ軸に沿う方向に延びる切欠きである。凸壁４３の上端４３ａは、Ｚ軸に沿う方向における凸壁４３の端部であり、周壁４２の上端４２ａと略同一平面に位置する。なお、第１の開口部４７、取付部４８、及び第２の開口部４９はこれに限らず、例えば、凸壁４３に設けられた孔であっても良い。
【００２７】
凸壁４３に、二つの端子台５１が配置される。端子台５１は、端子部の一例であり、例えば、出力端子、正極、負極、電極、又は導電部とも称され得る。端子台５１は、例えば金属板である。
【００２８】
端子台５１は、上ケース１６に固定されるとともに、第１の開口部４７によって筐体１１の外部に露出される。端子台５１は、電池モジュール１０の正極端子及び負極端子としてそれぞれ用いられる。
【００２９】
図４は、電池モジュール１０の一部を示す斜視図である。図４に示すように、端子台５１に、挿通孔５１ａが設けられる。挿通孔５１ａは、筐体１１の外部に向かって開口する。挿通孔５１ａは、凸壁４３に設けられるとともに雌ネジが形成されたネジ穴に連通する。
【００３０】
ボルト５３が、端子台５１の挿通孔５１ａを通って、凸壁４３の前記ネジ穴にねじ込まれる。言い換えると、端子台５１に、ボルト５３が取り付けられる。ボルト５３は、挿通孔５１ａ及び前記ネジ穴に挿入される軸部と、当該軸部の端に設けられる頭部５３ａと、頭部５３ａに設けられる穴５３ｂと、を有する。頭部５３ａは、例えば、端部、露出部、又は突出部とも称され得る。穴５３ｂは、例えば、凹部又は挿入部とも称され得る。
【００３１】
ボルト５３の前記軸部が挿通孔５１ａに挿入されたとき、頭部５３ａは端子台５１から筐体１１の外部に突き出る。頭部５３ａは、略円柱形に形成されるが、例えば略六角柱に形成されても良い。穴５３ｂは、頭部５３ａの平坦な端部に設けられる。穴５３ｂは、略六角形に形成されるが、他の形状に形成されても良い。
【００３２】
凸壁４３に、二つの第１の引掛部５４が設けられる。第１の引掛部５４は、Ｘ軸に沿う方向における、凸壁４３の両端部に位置する。第１の引掛部５４は、第１の開口部４７にそれぞれ隣接する。二つの第１の開口部４７は、二つの第１の引掛部５４の間に位置する。第１の引掛部５４は、Ｚ軸に沿う方向に延びる溝５４ａを有する。溝５４ａは、Ｘ軸に沿う方向に開口する。
【００３３】
図２に示すように、複数の孔４４は、内壁４１に設けられる。複数の孔４４は、セル２１の正極端子３７、負極端子３８、及びガス排出弁３９に対応して配置される。正極端子３７、負極端子３８、及びガス排出弁３９は、対応する孔４４を通って、内壁４１から突き出る。
【００３４】
バスバー２３は、金属のような導電材料によって形成される。複数のバスバー２３は、異なる形状を有する複数種類のバスバー２３を含む。バスバー２３は、セル２１の正極端子３７と、隣り合う他のセル２１の負極端子３８と、の間を電気的に接続する。さらに、バスバー２３は、電圧検知に用いられるタブを有する。複数のバスバー２３は、例えば、上ケース１６の内壁４１に取り付けられる。
【００３５】
複数のバスバー２３のうち、二つのバスバー２３は、二つの端子台５１にそれぞれ電気的に接続される。言い換えると、端子台５１は、バスバー２３を介して、複数のセル２１に電気的に接続される。
【００３６】
下カバー２４は、例えば、筐体１１と同じくポリプロピレンによって形成され、絶縁性を有する。下カバー２４は、上ケース１６に取り付けられ、上ケース１６の内壁４１と、バスバー２３と、端子台５１の一部とを覆う。下カバー２４は、バスバー２３の前記タブを露出させる複数の孔を有する。
【００３７】
下カバー２４は、第２の収容部６１と、配置部６２とを有する。第２の収容部６１は、略矩形（四角形）の凹部であって、電子基板２５を収容する。配置部６２は、第２の収容部６１と並ぶとともに、凸壁４３に隣接する。配置部６２に、中継基板２６が配置される。
【００３８】
電子基板２５は、例えば、略矩形（四角形）に形成されたプリント回路板（ＰＣＢ）である。電子基板２５に、配線パターンが設けられるとともに、複数の電子部品が実装される。
【００３９】
電子基板２５は、バスバー２３の前記タブに、電気的に接続される。電子基板２５は、例えば、バスバー２３の前記タブから、当該バスバー２３に接続されるセル２１の電圧を検出し制御する。
【００４０】
中継基板２６は、例えば、電子基板２５よりも小さいＰＣＢである。中継基板２６は、電子基板２５に、例えばケーブルを介して電気的に接続される。中継基板２６に、二つのコネクタ６５が実装される。コネクタ６５は、例えばＬＡＮコネクタである。なお、コネクタ６５は、他の種類のコネクタであっても良い。
【００４１】
コネクタ６５は、凸壁４３の第２の開口部４９によって、筐体１１の外部に露出される。すなわち、コネクタ６５は、凸壁４３に設けられる。コネクタ６５は挿入口６５ａを有し、当該挿入口６５ａは、第２の開口部４９に連通する。
【００４２】
コネクタ６５の挿入口６５ａに、例えば、ＬＡＮケーブルの端子が挿入される。言い換えると、コネクタ６５に、ＬＡＮケーブルが接続される。当該ＬＡＮケーブルを介し、例えば、端末又は制御装置が、電子基板２５が検知したセル２１の電圧を監視及び制御する。
【００４３】
上述のように、二つの端子台５１と、二つのコネクタ６５とが、一つの凸壁４３に配置される。このため、電池モジュール１０を他の機械に接続する作業が容易に行われ、作業性が向上する。
【００４４】
上カバー２７は、例えば、筐体１１と同じくポリプロピレンによって形成され、絶縁性を有する。上カバー２７は、電子基板２５に取り付けられ、電子基板２５を覆う。電子基板２５は、下カバー２４と上カバー２７との間に位置する。
【００４５】
ネジ２８は、上カバー２７、電子基板２５、及び下カバー２４を通って、バスバー２３の前記タブにねじ込まれる。これにより、ネジ２８は、電子基板２５とバスバー２３との電気的接続を確保するとともに、バスバー２３を電子基板２５に固定する。さらに、ネジ２８は、電子基板２５に下カバー２４及び上カバー２７を固定する。
【００４６】
トップカバー１７は、下カバー２４及び上カバー２７を覆う。トップカバー１７は、例えば、トップカバー１７に設けられた爪が上ケース１６の周壁４２に引っ掛かることで、上ケース１６に取り付けられる。
【００４７】
上ケース１６に取り付けられたトップカバー１７は、凸壁４３の上端４３ａを覆う。このため、第１の開口部４７、取付溝４８、及び第２の開口部４９の、凸壁４３の上端４３ａに開放された部分が、トップカバー１７によって塞がれる。
【００４８】
図５は、端子カバー１２を示す斜視図である。図６は、端子カバー１２の一部を示す斜視図である。端子カバー１２は、例えば、合成樹脂によって形成される。なお、端子カバー１２はこれに限らず、例えば、合成ゴムのような、絶縁性及び弾性を有する他の材料によって形成されても良い。
【００４９】
図５及び図６に示すように、端子カバー１２は、固定部７１と、二つの第１の移動部７２と、二つのヒンジ部７３と、第２の移動部７４と、を有する。固定部７１は、例えば、基部、取付部、又は結合部とも称され得る。第１の移動部７２は、例えば、カバー、保護部、被覆部、回動部、又は保持部とも称され得る。ヒンジ部７３は、例えば、結合部、回動部、又は移動部とも称され得る。第２の移動部７４は、例えば、コネクタカバー、保護部、被覆部、又は回動部とも称され得る。
【００５０】
固定部７１は、凸壁４３に取り付けられる。固定部７１は、壁部７６と、二つの係合部７７と、二つの露出部７８と、を有する。露出部７８は、例えば、挿通部、開口、孔、又は凹部とも称され得る。
【００５１】
壁部７６は、例えば、Ｘ軸及びＺ軸に沿って延びる略矩形（四角形）の板状に形成される。壁部７６は、筐体１１の外部から、凸壁４３に重ねられる。言い換えると、壁部７６は、凸壁４３を覆う。壁部７６は、凸壁４３の、取付溝４８と第２の開口部４９とが設けられた部分を覆うが、第１の開口部４７が設けられた部分は覆わず露出させる。
【００５２】
図３に示すように、係合部７７は、凸壁４３の取付溝４８に対応した位置に配置される。係合部７７は、延部７７ａと、係部７７ｂとをそれぞれ有する。延部７７ａは、壁部７６からＹ軸に沿う方向に突出し、凸部４３の取付溝４８を通される。
【００５３】
係部７７ｂは、延部７７ａの先端に設けられ、延部７７ａが延びる方向と交差する方向（例えばＸ軸に沿う方向）に突出する。係部７７ｂは、筐体１１の内側から、凸壁４３に引っ掛かる。言い換えると、壁部７６と係合部７７の係部７７ｂとが、凸壁４３を挟持する。
【００５４】
係合部７７の延部７７ａは、取付溝４８の凸壁４３の上端４３ａに開放された部分から、取付溝４８に挿入される。延部７７ａが取付溝４８に挿入されることで、固定部７１は、Ｘ軸に沿う方向に移動することを制限される。さらに、係部７７ｂが凸壁４３に引っ掛かることで、固定部７１は、Ｙ軸に沿う方向に移動することを制限される。凸壁４３の上端４３ａがトップカバー１７に塞がれると、固定部７１は、Ｚ軸に沿う方向に移動することを制限される。すなわち、固定部７１は、筐体１１に固定される。
【００５５】
トップカバー１７が上ケース１６から取り外されると、係合部７７は、取付溝４８の、凸壁４３の上端４３ａに開放された部分から取り外されることができる。すなわち、固定部７１は、着脱可能に筐体１１に取り付けられる。
【００５６】
図７は、端子カバー１２の固定部７１付近における、電池モジュール１０の一部を示す斜視図である。図７に示すように、露出部７８は、壁部７６に設けられた開口である。なお、露出部７８は、例えば、切欠き又は凹部であっても良い。
【００５７】
露出部７８は、第２の開口部４９に対応して配置される。露出部７８は、凸壁４３の第２の開口部４９に連通することで、第２の開口部４９によって露出されたコネクタ６５を、外部に露出させる。
【００５８】
図４及び図５に示すように、第１の移動部７２は、第１の保護壁８１と、第２の保護壁８２と、第３の保護壁８３と、第４の保護壁８４と、第５の保護壁８５と、第２の引掛部８６と、ボルト受け８７と、をそれぞれ有する。第１の保護壁８１は、第１の壁の一例であり、例えば、保護部又は被覆部とも称され得る。第５の保護壁８５は、第２の壁の一例であり、例えば、保護部、被覆部、又は通過部とも称され得る。ボルト受け８７は、突出部の一例であり、例えば、リブ、壁、ホルダ、保持部、又は把持部とも称され得る。
【００５９】
第１の移動部７２は、例えば図１に示す第１の位置Ｐ１と、例えば図４に示す第２の位置Ｐ２との間で移動可能である。第１の位置Ｐ１は、例えば、閉じ位置、保護位置、又は被覆位置とも称され得る。第２の位置Ｐ２は、例えば、開き位置、開放位置、又は露出位置とも称され得る。以下の第１の移動部７２についての説明は、基本的に、第１の移動部７２が第１の位置Ｐ１に位置する場合について説明する。
【００６０】
第１の保護壁８１は例えば、Ｘ軸及びＺ軸に沿って延びる略矩形（四角形）の板状に形成される。第１の保護壁８１は、固定部７１の壁部７６よりも、凸壁４３から離間する。第１の保護壁８１は、対応する端子台５１に面し、端子台５１と、端子台５１から突き出るボルト５３の頭部５３ａとを、Ｙ軸に沿う方向から覆う。
【００６１】
第１の保護壁８１は、内面８１ａと、外面８１ｂとを有する。第１の保護壁８１の内面８１ａは、端子台５１に対向する。外面８１ｂは、内面８１ａの反対側に位置する。外面８１ｂに、例えば、第１の保護壁８１が面する端子台５１が、正極であるか負極であるかを示すマーク８１ｃが形成される。
【００６２】
第２の保護壁８２及び第３の保護壁８３は、例えば、Ｙ軸及びＺ軸に沿って延びる略矩形（四角形）の板状にそれぞれ形成される。第２の保護壁８２及び第３の保護壁８３は、第１の保護壁８１のＸ軸に沿う方向における両端部から、凸壁４３に向かって延びる。第２の保護壁８２は、第３の保護壁８３に対向する。第２の保護壁８２は、第３の保護壁８３よりも、固定部７１に近い。
【００６３】
Ｘ軸に沿う方向において、端子台５１は、第２の保護壁８２と第３の保護壁８３との間に位置する。第２の保護壁８２及び第３の保護壁８３は、端子台５１から突き出たボルト５３の頭部５３ａを、Ｘ軸に沿う方向から覆う。
【００６４】
第４の保護壁８４及び第５の保護壁８５は、例えば、Ｘ軸及びＹ軸に沿って延びる略矩形（四角形）の板状にそれぞれ形成される。第４の保護壁８４及び第５の保護壁８５は、第１の保護壁８１から、凸壁４３に向かって延びる。
【００６５】
第４の壁８４及び第５の保護壁８５は、第２の保護壁８２と、第３の保護壁８３との間に位置する。第４の保護壁８４は、第５の保護壁８５に対向する。第４の保護壁８４は、第５の保護壁８５よりも、トップカバー１７に近い。
【００６６】
Ｚ軸に沿う方向において、端子台５１は、第４の保護壁８４と第５の保護壁８５との間に位置する。第４の保護壁８４及び第５の保護壁８５は、端子台５１から突き出たボルト５３の頭部５３ａを、Ｚ軸に沿う方向から覆う。
【００６７】
上述のように、第１乃至第５の保護壁８１〜８５は、対応する端子台５１と、端子台５１から突き出たボルト５３の頭部５３ａを、Ｘ軸、Ｙ軸、及びＺ軸に沿う方向から覆う。すなわち、第１の移動部７２は、対応する端子台５１と、当該端子台５１に取り付けられたボルト５３の頭部５３ａを保護する。
【００６８】
第２の引掛け部８６は、延壁９１と、二つの爪９２と、を有する。延壁９１は、第３の保護壁８３から、第２の保護壁８２の反対側に向かって延びる。延壁９１は、Ｘ軸及びＺ軸に沿う方向に延びる略矩形（四角形）の板状に形成される。延壁９１は、第１の引掛部５４を、Ｙ軸に沿う方向から覆う。
【００６９】
爪９２は、延壁９１から、第１の引掛部５４に向かって突出する。爪９２の先端は、第１の引掛部５４の溝５４ａに弾性的に引っ掛かる。爪９２は、第１の引掛部５４の溝５４ａに引っ掛かることで、第１の移動部８２が端子台５１から離れることを制限する。
【００７０】
ボルト受け８７は、第１の保護壁８１の内面８１ａから、端子台５１に向かって突出する略円筒形のリブである。ボルト受け８７は、円形の凹部８７ａを形成する。なお、ボルト受け８７は、他の形状に形成されても良い。ボルト受け８７の内径は、ボルト５３の頭部５３ａの外径とほぼ等しい。
【００７１】
ボルト５３の頭部５３ａは、ボルト受け８７の凹部８７ａに嵌り込む。凹部８７ａの一部であるボルト受け８７の内周面は、ボルト５３の頭部５３ａの外周面に接触する。すなわち、ボルト受け８７の凹部８７ａは、ボルト５３の頭部５３ａを保持する。
【００７２】
ボルト受け８７の凹部８７ａがボルト５３の頭部５３ａを保持することで、ボルト５３が回ることが抑制される。すなわち、凹部８７ａの一部であるボルト受け８７の内周面と、ボルト５３の頭部５３ａの外周面との間で摩擦が生じ、ボルト５３が緩むことが抑制される。
【００７３】
なお、凹部８７ａの一部であるボルト受け８７の内周面に、ボルト受け８７の突出する方向に延びる複数の溝が形成されても良い。当該溝は、凹部８７ａとボルト５３の頭部５３ａとの間の摩擦を強くし、ボルト５３が緩むことをさらに抑制する。
【００７４】
図６に示すように、ヒンジ部７３は、固定部７１の壁部７６の、Ｘ軸に沿う方向における両端部に設けられる。ヒンジ部７３は、固定部７１の壁部７６と、第１の移動部７２の第２の保護壁８２とを結合する。言い換えると、ヒンジ部７３は、第１の移動部７２を、固定部７１を介して凸壁４３に保持する。
【００７５】
ヒンジ部７３によって固定部７１に結合されることで、第１の移動部７２は、第１の位置Ｐ１と、第２の位置Ｐ２との間で回動可能である。言い換えると、端子カバー１２は、第１の移動部７２が第１の位置Ｐ１と第２の位置Ｐ２との間で移動可能なように、凸壁４３に取り付けられる。
【００７６】
図１に示すように、第１の移動部７２が第１の位置Ｐ１にあるとき、上述のように、第１乃至第５の保護壁８１〜８５が、端子台５１及びボルト５３の頭部５３ａを覆う。さらに、ボルト５３の頭部５３ａが、ボルト受け８７の凹部８７ａに嵌め込まれて保持される。
【００７７】
さらに、第１の移動部７２が第１の位置Ｐ１にあるとき、上述のように、第２の引掛部８６の爪９２が、第１の引掛部５４の溝５４ａに弾性的に引っ掛かる。すなわち、第１の移動部７２は、爪９２が第１の引掛部５４の溝５４ａに弾性的に引っ掛かることで、第１の位置Ｐ１に保持される。
【００７８】
図４に示すように、第１の移動部７２が第２の位置Ｐ２にあるとき、第１の保護壁８１は、凸壁４３及び端子台５１に対して略直交する方向に延びる。言い換えると、第１の移動部７２は、第１の位置Ｐ１から第２の位置Ｐ２に移動することで、ヒンジ部７３を中心に約９０度回動する。第１の移動部７２が第２の位置Ｐ２にあるとき、第１の移動部７２は、Ｘ軸に沿う方向において、端子台５１とコネクタ６５との間に位置する。このため、例えば、第２の移動部７２は、コネクタ６５に接続される前記ＬＡＮケーブルと端子台５１とが短絡することを抑制する。
【００７９】
第１の移動部７２が第２の位置Ｐ２にあるとき、端子台５１と、端子台５１から突き出たボルト５３の頭部５３ａは、覆われずに露出される。さらに、ボルト５３の頭部５３ａは、ボルト受け８７の凹部８７ａから外れる。このため、ボルト５３は回されることができる。
【００８０】
第１の移動部７２が第１の位置Ｐ１から第２の位置Ｐ２に向かって回動するとき、爪９２は、弾性的に第１の引掛け部５４を乗り越え、溝５４ａから外れる。すなわち、第１の移動部７２は、第１の位置Ｐ１から容易に第２の位置Ｐ２に移動可能である。言い換えると、第１の移動部７２は、着脱可能に凸壁４３に取り付けられる。
【００８１】
図５に示すように、第２の移動部７４は、覆壁９５と、二つの凸部９６とを有する。覆壁９５は、例えば、壁、回動部、又はカバーとも称され得る。凸部９６は、例えば、挿入部、嵌合部、又は保持部とも称され得る。
【００８２】
覆壁９５は例えば、Ｘ軸及びＺ軸に沿う方向に延びる略矩形の板状に形成される。覆壁９５のＺ軸に沿う方向の端部は、固定部７１の壁部７６のＺ軸に沿う方向の端部に、回動可能に結合される。
【００８３】
覆壁９５は、固定部７１に対して、図１に示す第３の位置Ｐ３と、図５に示す第４の位置Ｐ４との間で回動可能である。第３の位置Ｐ３は、例えば、閉じ位置、保護位置、又は被覆位置とも称され得る。第４の位置Ｐ４は、例えば、開き位置、開放位置、又は露出位置とも称され得る。
【００８４】
図１に示すように、覆壁９５が第３の位置Ｐ３にあるとき、覆壁９５は、固定部７１の壁部７６と、壁部７６に設けられた露出部７８と、を覆う。すなわち、覆壁９５は、露出部７８によって露出されたコネクタ６５を覆う。
【００８５】
図５に示すように、覆壁９５が第４の位置Ｐ４にあるとき、覆壁９５は、固定部７１の壁部７６のＺ軸に沿う方向の端部から、Ｚ軸に沿う方向に延びる。言い換えると、覆壁９５は、固定部７１の壁部７６と、Ｚ軸に沿う方向に並ぶ。このため、覆壁９５は露出部７８を覆わずに露出させる。露出部７８が露出されることで、露出部７８と、凸壁４３の第２の開口部４９を通して、コネクタ６５の挿入口６５ａに前記ＬＡＮケーブルが接続可能になる。
【００８６】
凸部９６は、覆壁９５から突出する。二つの凸部９６は、二つの露出部７８に対応する位置に配置される。凸部９６は、例えば、コネクタ６５の挿入口６５ａに対応した形状に形成される。
【００８７】
図３に示すように、覆壁９５が第３の位置Ｐ３にあるとき、凸部９６は、露出部７８に通される。凸部９６は、露出部７８を通って、コネクタ６５の挿入口６５ａに挿入される。言い換えると、凸部９６は、コネクタ６５の挿入口６５ａに嵌め込まれる。凸部９６がコネクタ６５の挿入口６５ａに挿入されることで、覆壁９５は、第３の位置Ｐ３に保持される。
【００８８】
覆壁９５が第４の位置Ｐ４にあるとき、凸部９６は、露出部７８及びコネクタ６５から外れる。覆壁９５が第３の位置Ｐ３から第４の位置Ｐ４に向かって移動するとき、凸部９６は、コネクタ６５の挿入口６５ａの縁を、弾性的に乗り越える。
【００８９】
第１の実施の形態に係る電池モジュール１０において、筐体１１の凸壁４３に着脱可能に取り付けられた端子カバー１２が、端子台５１と、ボルト５３の頭部５３ａとを覆う。これにより、端子台５１及びボルト５３の頭部５３ａを容易に保護することができる。
【００９０】
端子台５１及びボルト５３の頭部５３ａを容易に保護することができるため、例えば、電池モジュール１０の組立時及び輸送時に、端子台５１及びボルト５３の頭部５３ａが保護されやすくなる。したがって、端子台５１又はボルト５３の頭部５３ａに、例えば、水、塵埃、又は導電性の部品が接触することによる短絡が生じることを抑制できる。
【００９１】
さらに、端子カバー１２のボルト受け８７が、ボルト５３の頭部５３ａを保持し、ボルト５３の緩みを抑制する。ボルト５３は、例えば、電池モジュール１０を利用する機械から延びるハーネスを、端子台５１に固定することで、当該ハーネスと端子台５１との間の電気的接続を確保する。ボルト受け８７がボルト５３の緩みを抑制することで、端子台５１と前記ハーネスとの間の電気的接続がより確実に確保される。
【００９２】
前記ハーネスが取り付けられる二つの端子台５１の間に、二つのコネクタ６５が配置される。さらに、第２の位置Ｐ２に位置する第１の移動部７２は、端子台５１とコネクタ６５との間を隔てる。このため、端子台５１及びコネクタ６５で短絡が生じることが抑制される。
【００９３】
端子カバー１２の第１の移動部７２が第１の位置Ｐ１にあるとき、ボルト５３の頭部５３ａはボルト受け８７と嵌め合わされる。さらに、端子カバー１２の第１の移動部７２が第２の位置Ｐ２にあるとき、ボルト５３の頭部５３ａは、ボルト受け８７から外れる。言い換えると、第２の移動部７２は、閉じられることでボルト５３を保護し、開かれることでボルト５３を露出させる。これにより、端子部５１及びボルト５３を容易に保護することができ、端子部５１又はボルト５３で短絡が生じることを抑制できる。
【００９４】
端子カバー１２の第１の移動部７２は、爪９２が第１の引掛部５４の溝５４ａに弾性的に引っ掛かることで、第１の位置Ｐ１に保持される。言い換えると、端子カバー１２は、いわゆるスナップフィットによって筐体１１に取り付けられる。これにより、端子カバー１２による端子台５１の保護がさらに容易になり、端子部５１又はボルト５３で短絡が生じることを抑制できる。
【００９５】
端子カバー１２が、コネクタ６５を露出させる露出部７８を覆う第２の移動部７４と、コネクタ６５の挿入口６５ａに挿入される凸部９６と、を有する。これにより、一つの端子カバー１２で、導電性の部分である端子台５１及びコネクタ６５の両方を保護することができる。
【００９６】
ボルト５３の頭部５３ａは、ボルト受け８７が形成する凹部８７ａに嵌り込む。言い換えると、ボルト受け８７は、ボルト５３の頭部５３ａを覆う。これにより、ボルト５３の頭部５３ａで短絡が生じることが抑制される。
【００９７】
以下に、第２の実施の形態について、図８を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００９８】
図８は、第２の実施の形態に係る端子カバー１２の第１の移動部７２を示す斜視図である。図８に示すように、ボルト受け８７は、二つの第１のスリット１０１と、第２のスリット１０２とを有する。第１のスリット１０１と第２のスリット１０２は、第１の溝の一例であり、例えば、スリット、孔、切欠き、凹部、開口部、又は開放部とも称され得る。
【００９９】
第１及び第２のスリット１０１，１０２は、ボルト受け８７の先端８７ｂから、第１の保護壁８１に向かって延びる。言い換えると、第１及び第２のスリット１０１，１０２は、ボルト受け８７の先端８７ｂで開放される。第１及び第２のスリット１０１，１０２が設けられることで、ボルト受け８７は容易に弾性変形する。
【０１００】
第２のスリット１０２は、二つの第１のスリット１０１よりも、ヒンジ部７３に近い。言い換えると、第２のスリット１０２は、第１のスリット１０１よりも、第１の移動部７２の回動の中心軸に近い。さらに、第２のスリット１０２は、第１のスリット１０１よりも幅が広い。第１及び第２のスリット１０１，１０２の幅は、ボルト受け８７の円周方向における寸法である。
【０１０１】
第１の移動部７２が第２の位置Ｐ２から第１の位置Ｐ１に回動すると、ボルト受け８７の、ヒンジ部７３に近い部分が、ヒンジ部７３から遠い部分よりも先にボルト５３の頭部５３ａに当接する。第２のスリット１０２は、ボルト受け８７の、当該ヒンジ７３に近い部分に位置する。第２のスリット１０２の幅が広いため、ボルト受け８７の、当該ヒンジ７３に近い部分は、容易に弾性変形できる。したがって、ボルト５３の頭部５３ａは、ボルト受け８７の凹部８７ａに容易に嵌り込む。
【０１０２】
第２の実施形態の電池モジュール１０によれば、ボルト５３の頭部５３ａと嵌め合わされるボルト受け８７に、第１及び第２のスリット１０１，１０２が設けられる。これにより、ボルト受け８７は、弾性変形することでボルト５３の頭部５３ａと容易に嵌め合わされることができる。
【０１０３】
第１のスリット１０１よりもヒンジ部７３に近い第２のスリット１０２の幅が、第１のスリット１０１の幅よりも大きい。これにより、第１の移動部７２が第２の位置Ｐ２から第１の位置Ｐ１に移動するとき、ボルト受け８７が容易に弾性変形することができる。このため、ボルト受け８７がボルト５３の頭部５３ａと容易に嵌り合うことができる。
【０１０４】
以下に、第３の実施の形態について、図９を参照して説明する。図９は、第３の実施の形態に係る第１の移動部７２の一部を示す平面図である。図９に示すように、第３の実施形態において、ボルト受け８７は、内側部分８７ｃと、外側部分８７ｄとを有する。内側部分８７ａは、第１の部分の一例である。外側部分８７ｄは、第２の部分の一例である。
【０１０５】
内側部分８７ｃは、図９に一点鎖線で示すボルト受け８７の中央線Ｌよりも、ヒンジ部７３に近い部分である。中央線Ｌは、円筒形のボルト受け８７を、Ｘ軸に沿う方向に二分する。中央線Ｌは、ボルト受け８７にボルト５３の頭部５３ａが嵌め込まれたとき、ボルト５３の頭部５３ａの中央（ボルト５３の前記軸部の軸心）を通る。すなわち、内側部分８７ｃは、ボルト受け８７がボルト５３の頭部５３ａと嵌り合ったときに、頭部５３ａの中央よりもヒンジ部７３に近い部分である。
【０１０６】
外側部分８７ｄは、ボルト受け８７の中央線Ｌよりも、ヒンジ部７３から遠い部分である。すなわち、外側部分８７ｄは、ボルト受け８７がボルト５３の頭部５３ａと嵌り合ったときに、頭部５３ａの中央よりもヒンジ部７３から遠い部分である。
【０１０７】
ボルト受け８７は、複数のスリット１０４を有する。スリット１０４は、第１の溝の一例であり、例えば、孔、切欠き、凹部、開口部、又は開放部とも称され得る。スリット１０４は、ボルト受け８７の先端８７ｂから、第１の保護壁８１に向かって延びる。スリット１０４が設けられることで、ボルト受け８７は容易に弾性変形する。
【０１０８】
ボルト受け８７の内側部分８７ｃに設けられたスリット１０４の個数は、外側部分８７ｄに設けられたスリット１０４の個数よりも多い。言い換えると、複数のスリット１０４は、ヒンジ部７３に近い内側部分８７ｃに偏在する。このため、内側部分８７ｃは、外側部分８７ｄよりも容易に変形する。
【０１０９】
第３の実施形態の電池モジュール１０によれば、ボルト受け８７の内側部分８７ｃに設けられたスリット１０４の個数が、ボルト受け８７の外側部分８７ｄに設けられたスリット１０４の個数よりも多い。内側部分８７ｃは、端子カバー１２の第１の移動部７２が第２の位置Ｐ２から第１の位置Ｐ１に移動するとき、他の部分よりも先にボルト５３の頭部５３ａに当たる。このため、ボルト受け８７がボルト５３の頭部５３ａと容易に嵌り合うことができる。
【０１１０】
以下に、第４の実施の形態について、図１０及び図１１を参照して説明する。図１０は、第４の実施の形態に係る第１の移動部７２が第２の位置Ｐ２にある状態の、電池モジュール１０の一部を示す斜視図である。図１１は、第４の実施形態の第１の移動部７２が第１の位置Ｐ１にある状態の、電池モジュール１０の一部を示す斜視図である。
【０１１１】
図１０に示すように、第４の保護壁８４と、第５の保護壁８５とは、それぞれ複数の切込み１０６を有する。切込み１０６は、第２の溝の一例であり、例えば、スリット、孔、切欠き、凹部、開口部、又は開放部とも称され得る。
【０１１２】
切込み１０６は、対応する第４の保護壁８４の先端８４ａ、又は第５の保護壁８５の先端８５ａから、第１の保護壁８１に向かって延びる。切込み１０６が設けられることにより、第４及び第５の保護壁８４，８５は、容易に弾性変形する。
【０１１３】
端子台５１に、ハーネス１１０が接続される。ハーネス１１０は、例えば、配線又はケーブルとも称され得る。ハーネス１１０は、例えば、電池モジュール１０を利用する機械から延びる。
【０１１４】
ハーネス１１０は、例えば銅線のような電線と、当該電線を覆うスリーブ１１１と、前記電線の端部に設けられた端子１１２とを有する。スリーブ１１１は、絶縁体によって形成される。端子１１２は、金属のような導電体によって形成され、前記電線に電気的に接続される。
【０１１５】
端子１１２は、端子台５１に接触させられる。これにより、端子１１２は、端子台５１に電気的に接続される。さらに、ボルト５３は、締められることで、端子１１２を端子台５１に押し付ける。言い換えると、端子１１２は、ボルト５３によって、端子台５１に圧着させられる。前記電線を覆うスリーブ１１１は、端子台５１に取り付けられた端子１１２から、例えば、Ｚ軸に沿う方向に延ばされる。
【０１１６】
図１１に示すように、第１の移動部７２が第１の位置Ｐ１にあるとき、第５の保護壁８５の先端８５ａと、凸壁４３又は端子台５１との間に、隙間が形成される。スリーブ１１１は、当該隙間を通る。しかし、第５の保護壁８５の先端８５ａと凸壁４３又は端子台５１との間の隙間が、スリーブ１１１の径より小さい場合がある。この場合、第５の保護壁８５が弾性変形することで、スリーブ１１１が第５の保護壁８５の先端８５ａと凸壁４３又は端子台５１との間の隙間を通る。
【０１１７】
第１の移動部７２は、さらに、保持爪１１５を有する。保持爪１１５は、第２の保護壁８２から、Ｘ軸に沿う方向において固定部７１に向かって突出する。保持爪１１５は、第２の保護壁８２の、Ｚ軸方向における上端８２ａに位置する。
【０１１８】
第１の移動部７２が、第２の位置Ｐ２に位置すると、保持爪１１５は、固定部７１の壁部７６の上端７６ａに引っ掛かる。上端７６ａは、Ｚ軸に沿う方向における壁部７６の端部である。これにより、保持爪１１５は、第１の移動部７２が弾性力によって第２の位置Ｐ２から第１の位置Ｐ１に戻ることを抑制する。第１の移動部７２が第２の位置Ｐ２から第１の位置Ｐ１に移動するとき、保持爪１１５は、壁部７６の上端７６ａを弾性的に乗り越える。
【０１１９】
第１の移動部７２が重力によって下方に傾く可能性がある。しかし、保持爪１１５が第２の保護壁８２の上端８２ａに設けられるため、保持爪１１５は壁部７６の上端７６ａに引っ掛かったままである。
【０１２０】
第４の実施形態の電池モジュール１０によれば、端子カバー１２に、第１の保護壁８１から凸壁４３に向かって突出する第５の保護壁８５が設けられる。第５の保護壁８５が水や塵埃を防ぐことで、ボルト５３で短絡が生じることが抑制される。
【０１２１】
第５の保護壁８５に切込み１０６が設けられる。これにより、第５の保護壁８５と凸壁４３又は端子台５１との間を通過するハーネス１１０のスリーブ１１１が、第５の保護壁８５と干渉したとしても、第５の保護壁８５が容易に変形できる。したがって、ハーネス１１０が損傷することが抑制される。
【０１２２】
以下に、第５の実施の形態について、図１２を参照して説明する。図１２は、第５の実施の形態に係る端子カバー１２の第１の移動部７２を示す斜視図である。図１２に示すように、第５の実施形態の第１の移動部７２は、ボルト受け８７の代わりに、挿入部１２１を有する。挿入部１２１は、突出部の一例である。
【０１２３】
挿入部１２１は、第１の保護壁８１の内面８１ａから、端子台５１に向かって突出する、例えば円筒形状のリブである。挿入部１２１の外径は、ボルト５３の穴５３ｂの内接円の径とおおよそ等しい。
【０１２４】
第１の移動部７２が第１の位置Ｐ１にあるとき、挿入部１２１は、ボルト５３の頭部５３ａに設けられた穴５３ｂに嵌り込む。挿入部１２１の外周面は、穴５３ｂの内周面に接触する。すなわち、挿入部１２１は、ボルト５３の頭部５３ａを保持する。
【０１２５】
挿入部１２１がボルト５３の頭部５３ａを保持することで、ボルト５３が回ることが抑制される。すなわち、挿入部１２１の外周面と、ボルト５３の穴５３ｂの内周面との間で摩擦が生じ、ボルト５３が緩むことが抑制される。
【０１２６】
第１の移動部７２が第１の位置Ｐ１から第２の位置Ｐ２に移動すると、挿入部１２１は、ボルト５３の穴５３ｂから外れる。挿入部１２１が外れたボルト５３は、回されることができる。
【０１２７】
挿入部１２１に、複数のスリット１２２が設けられる。スリット１２２は、挿入部１２１の先端１２１ａから、第１の保護壁８１に向かって延びる。スリット１２２が設けられることにより、挿入部１２１は容易に弾性変形する。このため、挿入部１２１は、ボルト５３の穴５３ｂに容易に嵌め込まれる。
【０１２８】
第５の実施形態に示されるように、ボルト５３は、穴５３ｂに挿入される挿入部１２１によって保持されても良い。なお、第１の移動部７２は、第１乃至第４の実施形態で示されたボルト受け８７と、第５の実施形態で示された挿入部１２１と、を両方有しても良い。
【０１２９】
以上説明した少なくとも一つの実施形態によれば、筐体に着脱可能に取り付けられたカバーが端子部を覆う。これにより、端子部を容易に保護することができ、端子部で短絡が生じることを抑制できる。さらに、カバーがボルトの頭部を保持することで、端子部に取り付けられたボルトの緩みが抑制される。
【０１３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１３１】
例えば、上記実施形態において、端子カバー１２は筐体１１と別個の部品である。しかし、カバーは、筐体と一体に形成されても良い。例えば、カバーの一つの端部が筐体にヒンジによって回動可能に結合され、他方の端部が筐体に着脱可能に取り付けられることで、カバーが端子部を覆うとともにボルトを保持しても良い。
【０１３２】
さらに、上記実施形態において、端子カバー１２は、筐体１１に固定される固定部７１を有する。しかし、カバーは、筐体から完全に取り外されることで、端子部を露出させても良い。
【符号の説明】
【０１３３】
１０…電池モジュール、１１…筐体、１２…端子カバー、２１…セル、４３…凸壁、５１…端子台、５３…ボルト、５３ａ…頭部、６５…コネクタ、７１…固定部、７２…第１の移動部、７３…ヒンジ部、７４…第２の移動部、７８…露出部、８１…第１の保護壁、８５…第５の保護壁、８７…ボルト受け、８７ａ…凹部、８７ｂ…先端、８７ｃ…内側部分、８７ｄ…外側部分、９６…凸部、１０１…第１のスリット、１０２…第２のスリット、１０４…スリット、１０６…切込み、１２１…挿入部、Ｐ１…第１の位置、Ｐ２…第２の位置、Ｐ３…第３の位置、Ｐ４…第４の位置。
【図１】
2015125799.tif 000003
【図３】
2015125799.tif 000004
【図４】
2015125799.tif 000005
【図５】
2015125799.tif 000006
【図６】
2015125799.tif 000007
【図７】
2015125799.tif 000008
【図８】
2015125799.tif 000009
【図９】
2015125799.tif 000010
【図１０】
2015125799.tif 000011
【図１１】
2015125799.tif 000012
【図１２】
2015125799.tif 000013
【図２】
2015125799.tif 000014